(57)【要約】【課題】不快な金属音が発生するのを防止し、床面間との隙間高さの異なるドアに対しても、同じフランス落しを、そのまま簡単に取り付けて使用できるようにする。【解決手段】ロック棒１１には、スライドバー１９の長さ方向に間隔をあけて複数の係合穴２４・２５を設ける一方、付勢ばね１２の押当て板部１２ａに、係合穴に係合可能な係合突起３０を設け、ドアロック時に、ドアと床面との隙間高さに応じて、ロック棒１１をスライドさせて係合穴２４・２５のいずれかに係合突起３０を係合し、取付プレート１０に対するロック棒１１のロック高さ位置を多段に調整可能に構成する共に、取付プレート１０には、軸ガイド穴１３に消音材からなる振れ止め部材１５を嵌め付け、振れ止め部材を介してロックピン２０を軸ガイド穴１３に嵌合させてなる。【選択図】          図１
2006118283.tif 000002
【特許請求の範囲】
【請求項１】
下端に有するガイド板部に軸ガイド穴をあけた取付プレートと、該軸ガイド穴にスライドバーの下端に有するロックピンを嵌合させてロック解除高さ位置とロック高さ位置の間で上下にスライド可能に前記取付プレートに取り付けるロック棒と、前記スライドバーと前記取付プレート間で挟持して下端に有する押当て板部を常時前記スライドバーに押し当てる付勢ばねとを備えてなり、ドアロック時に、前記ロック棒をロック高さ位置へ下降させると、前記ロックピンが前記軸ガイド穴を通して床面側に設置した受け穴に嵌合してドアの開閉を規制するフランス落しにおいて、
前記ロック棒には、前記スライドバーの長さ方向に間隔をあけて複数の係合穴を設ける一方、前記付勢ばねの前記押当て板部に、前記係合穴に係合可能な係合突起を設け、ドアロック時に、ドアと床面との隙間高さに応じて、前記ロック棒をスライドさせて前記係合穴のいずれかに前記係合突起を係合し、前記取付プレートに対する前記ロック棒のロック高さ位置を多段に調整可能に構成すると共に、
前記取付プレートには、前記軸ガイド穴に消音材からなる振れ止め部材を嵌め付け、該振れ止め部材を介して前記ロックピンを前記軸ガイド穴に嵌合させてなることを特徴とする、フランス落し。
【発明の詳細な説明】
【技術分野】
【０００１】
本発明は、開閉操作を行う頻度の少ないドアに取り付けて使用するドアロック具で、特に、ドアロック時にロック棒を下降させ、その下端部を床面側に設置した受け穴に嵌合してドアの開閉を規制するフランス落しに関する。
【背景技術】
【０００２】
従来、この種のフランス落しは、通常、金属製で、たとえば図６に示すように、開き戸式ドア１に対し、その木口面１ａの下縁側コーナーに取り付けて使用するために、細長いＬ板状の取付プレート２を備え、この取付プレート２にロック棒３を上下動可能に連結した構成になっている。取付プレート２は、図中下端のガイド板部２ａに軸ガイド穴４を設けると共に、縦長な取付板部２ｂには、その上端側に一部を凹ませてガイド板部２ａ側に張り出したガイド凸面２ｃを形成し、そのガイド凸面２ｃに縦長矩形の移動規制穴５が設けられている。一方、ロック棒３は、細長い板状のスライドバー３ａと、その図中下端側に有するロックピン３ｂとで、全体に一定長さの軸状に形成されている。図中符号６は、ロック棒３のスライドバー３ａに固着した操作摘み片で、これを移動規制穴５に係合させて、ロック棒３を取付プレート２に連結している。図中符号７は、板バネ製の付勢ばねで、そのばね付勢力でスライドバー３ａをガイド凸面２ｃに押し付けた状態で、ロック棒３を、移動規制穴５内のロック解除高さ位置とロック高さ位置間で上下にスライド可能に取付プレート２に取り付けている。そして、斯かるフランス落しは、そのロック棒３側を、木口面１ａにあけた取付凹部内に嵌め込んで取付プレート２をドア１にねじ止めしている。
【０００３】
この従来のフランス落しを使ってドア１をロックするときは、操作摘み片６を摘んで、ロック棒３を下降させ、ロックピン３ｂを、軸ガイド穴４を通して床面８側に埋設した坪受け９の受け穴９ａに嵌合させてドア１の開閉を規制している。
【特許文献１】実開昭６０−８３１６８号公報
【発明の開示】
【発明が解決しようとする課題】
【０００４】
ところで、最近、住宅の建材や家具から発散されるホルムアルデヒド等による室内の空気汚染が原因で、シックハウス症候群などの健康障害が大きな問題になっている。そのため、最近の住宅などでは、室内の換気に配慮し、ドア１と床面８との間にできる隙間（ちり）を比較的大きくとってドア１を設置している場合がある。
【０００５】
ところが、従来のフランス落しは、一定長さのロック棒３を備えた構成であるため、図中鎖線で示すように床面８との間に大きな隙間をあけたドア１に、そのまま取り付けようとする場合、ロック棒３をロック高さ位置まで下降させても、ロックピン３ｂが受け穴９ａに届かないので、とても使用することができない。従って、そのように床面８との間に隙間を大きくとったドア１に取り付けて使用できるようにするには、ドア１と床面８との隙間高さｈに合わせて、その分だけ長い専用のロック棒を備えた各種のフランス落しを、別途に用意するほかないとう課題があった。
【０００６】
また、従来のフランス落しでは、例えばロック棒３のロックピン３ｂを坪受け９に嵌合させたドアロック状態にあるとき、風圧や衝撃等を受けてドア１が動くと、そのドア１に固定の取付プレート２に対しロック棒３が揺れ動いて衝突し、厄介な騒音の原因となる不快な金属音を発生するという課題があった。
【０００７】
そこで、本発明の目的は、不快な金属音が発生するのを防止し、床面間との隙間高さの異なるドアに対しても、同じフランス落しを、そのまま簡単に取り付けて使用できるようにすることにある。
【課題を解決するための手段】
【０００８】
そのため、請求項１に記載の発明は、たとえば以下に示す図示実施の形態のとおり、下端に有するガイド板部１０ａに軸ガイド穴１３をあけた取付プレート１０と、該軸ガイド穴１３にスライドバー１９の下端に有するロックピン２０を嵌合させてロック解除高さ位置とロック高さ位置の間で上下にスライド可能に前記取付プレート１０に取り付けるロック棒１１と、前記スライドバー１９と前記取付プレート１０間で挟持して下端に有する押当て板部１２ａを常時前記スライドバー１９に押し当てる付勢ばね１２とを備えてなり、ドアロック時に、前記ロック棒１１をロック高さ位置へ下降させると、前記ロックピン２０が前記軸ガイド穴１３を通して床面Ｆ側に設置した受け穴３７ａに嵌合してドアＤの開閉を規制するフランス落しＡにおいて、前記ロック棒１１には、前記スライドバー１９の長さ方向に間隔をあけて複数の係合穴２４・２５を設ける一方、前記付勢ばね１２の前記押当て板部１２ａに、前記係合穴２４・２５に係合可能な係合突起３０を設け、ドアロック時に、ドアＤと床面Ｆとの隙間高さｈ１・ｈ２に応じて、前記ロック棒１１をスライドさせて前記係合穴２４・２５のいずれかに前記係合突起３０を係合し、前記取付プレート１０に対する前記ロック棒１１のロック高さ位置を多段に調整可能に構成すると共に、前記取付プレート１０には、前記軸ガイド穴１３に消音材からなる振れ止め部材１５を嵌め付け、該振れ止め部材１５を介して前記ロックピン２０を前記軸ガイド穴１３に嵌合させてなることを特徴とする。
【発明の効果】
【０００９】
請求項１に記載の発明によれば、ドアロック時に、ドアと床面との隙間高さに応じて、ロック棒をスライドさせて複数の係合穴のいずれかに付勢ばねの係合突起を係合させるだけで簡単に、ロック棒のロック高さ位置を多段に調整することができ、これにより、床面との間の隙間高さの異なるドアに対しても、同じフランス落しを、そのまま使用することができる。
【００１０】
加えて、例えばドアロック時に、風圧や衝撃等を受けてドアが動くことがあっても、ロック棒は、ロックピンを消音材の振れ止め部材で保持して揺れ動きを規制しているため、金属製の取付プレートとロック棒との間で、騒音の原因となる不快な金属音が発生するのを防止することができる。
【発明を実施するための最良の形態】
【００１１】
以下、図面を参照しつつ、本発明の実施の形態について説明する。
【００１２】
図１および図２は、それぞれ本発明の一例であるフランス落しを、異なる角度から見て示す分解斜視図、図３は、組立状態において示す縦断面図である。図示例のフランス落しＡは、いずれも金属製の、取付プレート１０と、取付プレート１０に連結するロック棒１１と、板バネからなる付勢ばね１２を備えた構成になっている。
【００１３】
取付プレート１０は、細長い金属板をＬ状に曲げ成形し、図中下端のガイド板部１０ａに軸ガイド穴１３を設けると共に、縦長な取付板部１０ｂの上端側に一部を凹ませて、反対のガイド板部１０ａ側に張り出したガイド凸面１０ｃを形成してなる。ガイド凸面１０ｃには、ロック棒１１が上下にスライドするストロークを決める縦長矩形な移動規制穴１４を設けている。また、軸ガイド穴１３は、穴径がロック棒１１のロックピン２０よりやや大径な丸い中心穴部１３ａと、中心穴部１３ａの周縁で対称な台形状にあけた一対の回転規制穴部１３ｂ・１３ｂとで形成してなる。そして、取付プレート１０は、この軸ガイド穴１３を有したガイド板部１０ａに、消音手段の振れ止め部材１５を付設した構成になっている。
【００１４】
振れ止め部材１５は、図示例では樹脂製の消音材を用いて一体成形し、ガイド板部１０ａの外形状に合わせて略矩形板状をなす本体板部１６と、本体板部１６の片面に軸ガイド穴１３の穴形状に合わせて凸形状に成形した嵌付突部１７とからなる。本体板部１６には、軸ガイド穴１３と対応する中心位置に、ロックピン２０と略同径の軸挿通穴１８をあけて成形している。嵌付突部１７は、軸ガイド穴１３の中心穴部１３ａに合わせて、それに嵌合可能なリング状に突設した環状部分１７ａと、嵌付穴部１３ｂの穴形状に合わせて、各々嵌合可能な外形状に突設した一対の回転止め部分１７ｂとからなる。そして、取付プレート１０には、嵌付突部１７を軸ガイド穴１３に嵌め付け、本体板部１６をガイド板部１０ａ上に重ね合わせて振れ止め部材１５を取り付けている。
【００１５】
ロック棒１１は、スライドバー１９と、スライドバー１９の下端に固着するロックピン２０と、操作摘み片２１を用いて組み立ててなる。スライドバー１９は、細長い支持板部１９ａと、その図中下端側のＵ形パイプ状に曲げた連結部１９ｂとからなる。支持板部１９ａには、図中上端寄りに操作摘み片２１の差込み小穴２２を設ける一方、下端の連結部１９ｂ側に丸い位置決め穴２３が設けられている。そして特に、スライドバー１９には、差込み小穴２２と位置決め穴２３間に、後述するドアＤと床面Ｆとの隙間高さｈ１・ｈ２に対応させて、位置決め穴２３と同様な丸い係合穴２４・２５を長さ方向に間隔をあけて設けてなる。ロックピン２０は、丸棒を用い、図中上側の基端部２０ａを一段細軸に成形され、この基端部２０ａに連結部１９ｂをかしめてスライドバー１９に固着し、これにより、全体に所定長さのロック棒１１を形成してなる。操作摘み片２１は、幅広な摘み部２１ａと、取付プレート１０の移動規制穴１４に係止可能に一段幅狭に形成した係止段部２１ｂと、先端の差込み凸部２１ｃとからなり、差込み凸部２１ｃを差込み小穴２２に差し込んでスライドバー１９に固着するようになっている。
【００１６】
付勢ばね１２は、図中上端寄りに移動規制穴１４に対応させて、細長矩形の逃げ穴２８を設ける一方、反対の下端近くで山形に曲げて下端に押当て板部１２ａを形成してなる。逃げ穴２８には、その図中上下の穴縁に、そこを一部曲げ起こして掛止め用爪２８ａ・２８ａが設けられている。押当て板部１２ａには、小さな取付穴２９を設け、その取付穴２９に係合突起３０を固着している。係合突起３０は、振れ止め部材１５と同様に、例えば樹脂製の消音材を用いて、位置決め穴２３と係合穴２４・２５に係合可能な半球状に成形してなる。そして、円形端面に設けた嵌込み凸部３０ａを取付穴２９に嵌め込み、その突出部分を潰して付勢ばね１２の押当て板部１２ａに係合突起３０を固着し、その上側の曲げ凸部１２ｂと反対側へ突出させている。
【００１７】
以上の構成部品を備えたフランス落しＡは、逃げ穴２８の掛止め用爪２８ａ・２８ａを移動規制穴１４の上下穴縁に掛け止めて、付勢ばね１２を、取付プレート１０のガイド凸面１０ｃに、押当て板部１２ａの係合突起３０を外向きにして装着する。それから、付勢ばね１２にロック棒１１のスライドバー１９を重ねて、操作摘み片２１の係止段部２１ｂを移動規制穴１４に係止し、先端の差込み凸部２１ｃを、スライドバー１９の差込み小穴２２に、付勢ばね１２の逃げ穴２８を通して差し込む。そして、差込み凸部２１ｃの突出部分を潰して、ロック棒１１を、移動規制穴１４内のロック解除高さ位置とロック高さ位置間で上下にスライド可能に取付プレート１０に連結し、フランス落しＡを組み立ててなる。
【００１８】
従って、フランス落しＡは、ロック棒１１をスライドし、図３に示すように、最下段の位置決め穴２３に付勢ばね１２の係合突起３０を係合させると、ロックピン２０の先端部２０ｂが振れ止め部材１５を介して軸ガイド穴１３に嵌合し、ロック棒１１がロック解除高さ位置に位置決め保持されるようになっている。一方、後述するドアロック時に、ロック棒１１をロック解除高載置から、更にスライドさせて下降し、図４に示すように、ドアＤと床面Ｆ間の異なる隙間高さｈ１・ｈ２に応じて、係合穴２４・２５のいずれかに係合突起３０を係合させると、ロックピン２０の下向き突出長さ、即ち、取付プレート１０に対するロック棒１１のロック高さ位置が上下２段に調整されるようになっている。
【００１９】
さて、本発明において、フランス落しＡを、たとえば図５に示すような親子開き戸式ドアＤの親扉３５に取り付けて使用する場合は、その木口面３５ａの下縁側コーナーに固定する。そのときは、フランス落しＡのロック棒１１側を、木口面３５ａに設置された取付凹部３６内に嵌め込んで取付プレート１０の両端をねじ止めする。
【００２０】
そして、フランス落しＡを操作してドアＤをロックするときは、ドアＤと床面Ｆとの間の隙間を確認し、図４に示すように、その隙間高さｈ１・ｈ２に応じて、ロック棒１１を、操作摘み片２１の摘み部２１ａを摘んで下方へスライド操作する。そこで、例えば同図（Ａ）に示すように、ドアＤと床面Ｆ間の隙間が小さい高さｈ１の場合は、ロック棒１１を、付勢ばね１２に抗して一段だけ下方へスライドさせる。すると、付勢ばね１２の係合突起３０がロック棒１１の下位の係合穴２４に係合し、ロック棒１１は、ロック解除高さ位置から、ロックピン２０が一段突出したロック高さ位置に位置決め保持される。そして、ロックピン２０の先端部２０ｂを、床面Ｆ側に埋設した坪受け３７の受け穴３７ａに嵌合して親扉３５をロックし、これによって、外側からのドアＤの開閉を規制する。
【００２１】
一方、このドアロック時、ドアＤと床面Ｆとの間の隙間を確認したときに、図４（Ｂ）に示すように、ドアＤと床面Ｆ間の隙間が一段大きい高さｈ２の場合は、操作摘み片２１の摘み部２１ａを摘んで、同じロック棒１１を、付勢ばね１２に抗して更に一段下方へスライドさせる。すると、付勢ばね１２の係合突起３０が上位の係合穴２５に係合し、ロック棒１１は、ロックピン２０が更に一段下方へ突出したロック高さ位置に位置決め保持され、同様に、ロックピン２０の先端部２０ｂが坪受け３７の受け穴３７ａに嵌合して親扉３５をロックする。
【００２２】
反対に、ドアＤを開けるためにドアＤのロックを解除するときは、操作摘み片２１の摘み部２１ａを摘んで、ロック棒１１を、付勢ばね１２に抗して上方へ一段スライドし、図３に示すように、最下段の位置決め穴２３に係合突起３０を係合させて元のロック解除高さ位置に戻し、ロックピン２０を坪受け３７の受け穴３７ａから離隔させる。
【００２３】
ところで、図示フランス落しＡは、上述のように金属製ロック棒１１の位置決め穴２３や係合穴２４・２５に、樹脂製消音材の係合突起３０を係合させ、更に金属製取付プレート１０の軸ガイド穴１３には、同じ消音材からなる振れ止め部材１５の嵌付突部１７を介して金属製ロックピン２０を嵌合させた構成である。従って、例えばドアロック時に、風圧や衝撃等を受けてドアＤが動くことがあっても、フランス落しＡでは、ロック棒１１は、ロックピン２０を消音材の振れ止め部材１５で保持して揺れ動きを規制し、係合穴２４・２５には消音材の係合突起３０が係合しているため、金属製の取付プレート１０や付勢ばね１２と、ロック棒１０との間で、騒音の原因となる不快な金属音が発生するのを防止することができる。
【００２４】
また、上述した図示実施の形態において、フランス落しＡに備えるロック棒１１は、スライドバー１９に、長さ方向上下に２つの係合穴２４・２５を設けた構成であった。しかし、本発明では、係合穴を３つ以上設けて、その係合位置の数だけ、取付プレートに対するロック棒のロック高さ位置を多段に微調整可能とし、ドアと床面との隙間高さの違いに、より正確に適合させる構成にすることもできる。
【００２５】
さらに、上述した図示実施の形態において、振れ止め部材１５は、素材の消音材が樹脂であったが、樹脂製に限らず、消音効果のある、例えばゴム製、木製、皮製などであってもよい。
【００２６】
なお、以上の図示実施の形態では、フランス落しＡを両開き戸式ドアに取り付けた場合の例を説明したが、本発明は、片開き戸式ドアの他、各種のドアに取り付けて適用し得るのは、勿論である。
【図面の簡単な説明】
【００２７】
【図１】本発明の一例であるフランス落しを示す分解斜視図である。
【図２】フランス落しを異なる角度から見て示す分解斜視図である。
【図３】フランス落しを組立状態において示す縦断面図である。
【図４】フランス落しを、ドアと床面間の異なる隙間高さに応じてロック棒でドアをロックした状態を示し、（Ａ）はロック棒がロック解除高さ位置、（Ｂ）はロック高さ位置に調整した状態において示す側面図である。
【図５】フランス落しを開き戸式ドアに取り付けた状態を示す斜視図である。
【図６】従来のフランス落しを示す縦断面図である。
【符号の説明】
【００２８】
Ａ              フランス落し
Ｄ              ドア
Ｆ              床面
ｈ１・ｈ２      隙間高さ
１０            取付プレート
１１            ロック棒
１２            付勢ばね
１３            軸ガイド穴
１５            振れ止め部材
１９            スライドバー
２０            ロックピン
２４・２５      係合穴
３０            係合突起
３７            坪受け
３７ａ          受け穴
【図１】
2006118283.tif 000003
【図２】
2006118283.tif 000004
【図３】
2006118283.tif 000005
【図４】
2006118283.tif 000006
【図５】
2006118283.tif 000007
【図６】
2006118283.tif 000008